(57)【要約】【課題】  使い勝手が良好で剛性が高い組立家具及び組立家具組立キットを提供すること。【解決手段】  展開及び組立てが自在な組立家具としての机１０において、被連結体としての脚部１２と、脚部１２を連結する連結体１３を有し、連結体１３には、連結された脚部１２の間に開口部５０が形成される。連結体１３は、２つの連結板３９を有し、連結板３９には結合部としての結合フラップ４１、連結板結合片４６が設けられ、連結板３９同士が結合する。【選択図】            図１
2006068392.tif 000002
【特許請求の範囲】
【請求項１】
板状体によって構成し展開及び組立てが自在な組立家具であって、
被連結体同士を連結する連結体を有し、前記連結体は、前記被連結体の間において開口部を設ける構成としたこと
を特徴とする組立家具。
【請求項２】
前記被連結体と前記連結体は、前記被連結体に形成された被係合部と、前記連結体に形成された係合部とが係合することにより連結されることを特徴とする請求項１に記載の組立家具。
【請求項３】
前記連結体は、２つの連結板を有し、前記連結板には結合部が設けられ、一方の連結板の結合部と他方の連結板の結合部とが結合する構成としたことを特徴とする請求項１又は請求項２に記載の組立家具。
【請求項４】
前記被連結体は、内部空間を形成して設けられ、前記被連結体と前記連結体との連結状態において、前記連結体の両端部は、前記被連結体の内部に配設されて、前記被連結体を補強する補強部となることを特徴とする請求項１乃至請求項３のうち、いずれか１に記載の組立家具。
【請求項５】
前記被連結体は、前記板状体を略筒形状にして設けられ、前記板状体の一部が重なる重ね合わせ部を有し、前記連結体は、前記重ね合わせ部に連結されることを特徴とする請求項１乃至請求項４のうち、いずれか１に記載の組立家具。
【請求項６】
前記連結体は、前記被連結体を幅方向中央位置で連結することを特徴とする請求項１乃至請求項５のうち、いずれか１に記載の組立家具。
【請求項７】
少なくとも、板状体で構成されて被連結体を形成する被連結体形成部材と、
板状体で構成されて前記被連結体同士を連結する連結体を形成する連結体形成部材とを有し、
前記連結体形成部材は、前記連結体と前記被連結体との連結時に前記被連結体の間において開口部を有するように形成され、前記被連結体形成部材と前記連結体形成部材とによって組立家具を組立て可能なこと
を特徴とする組立家具組立キット。
【発明の詳細な説明】
【技術分野】
【０００１】
本発明は、展開及び組立てが自在な組立家具及び組立家具組立キットに関する。
【背景技術】
【０００２】
段ボール板や板紙などの厚紙や、プラスチック板のような板状体を折り曲げて組み付けることで組み立てられて展開及び組立てが自在な組立家具としては、例えば、特許文献１のように、天板の４辺近傍の下面に脚板が設置される机が知られている。
【０００３】
また、同様な机として、特許文献２のように、厚紙から形成された筒形状の一対の脚部が、天板を支持するものも知られている。
【０００４】
【特許文献１】実開平５−７４３２６号公報
【特許文献２】特開昭６３−７３９８３号公報
【発明の開示】
【発明が解決しようとする課題】
【０００５】
しかしながら、特許文献１に記載の机は、天板の下方に４枚の脚板がそれぞれ設けられたものであるため、机の前に着座する場合、膝を天板の下方空間に挿入することができず、無理な姿勢を強いられるため、机の使い勝手が悪いものとなっている。
【０００６】
また、特許文献２に記載の机は、一対の脚部が幅方向の片側において連結部材（小物入れ９になど）により連結されているので、この連結体材が存在する机の背面側に着座した人は、その膝を天板の下方空間に挿入できず、無理な姿勢を強いられる。このため、この机においても使い勝手が悪いものとなっている。
【０００７】
更に、この特許文献２の机では、一対の脚部の幅方向の片側が連結部材により連結されているので、これら一対の脚部ががたつき易く、従って、これらの脚部の剛性が低く、ひいては机の剛性が低いものとなっている。
【０００８】
本発明の目的は、上述の事情を考慮してなされたものであり、使い勝手が良好で剛性が高い組立家具及び組立家具組立キットを提供することにある。
【課題を解決するための手段】
【０００９】
請求項１に記載の発明は、板状体によって構成し展開及び組立てが自在な組立家具であって、被連結体同士を連結する連結体を有し、前記連結体は、前記被連結体の間において開口部を設ける構成としたことを特徴とするものである。本発明において組立家具とは、少なくとも被連結体同士を連結体によって連結したものであって、子供の遊戯用の家具及び子供の遊戯以外の用途で使用される家具の両方を含み、例えば、被連結体としての脚部を連結体によって連結したものに天板部を結合させた机や、被連結体としての脚部を連結体によって連結したものに座部を結合させた椅子、被連結体としての脚部を連結体によって連結したものに上面部を結合させた台等をいう。
【００１０】
請求項２に記載の発明は、請求項１に記載の発明において、前記被連結体と前記連結体は、前記被連結体に形成された被係合部と、前記連結体に形成された係合部とが係合することにより連結されることを特徴とするものである。
【００１１】
請求項３に記載の発明は、請求項１又は請求項２に記載の発明において、前記連結体は、２つの連結板を有し、前記連結板には結合部が設けられ、一方の連結板の結合部と他方の連結板の結合部とが結合する構成としたことを特徴とするものである。
【００１２】
請求項４に記載の発明は、請求項１乃至請求項３のうち、いずれか１に記載の発明において、前記被連結体は、内部空間を形成して設けられ、前記被連結体と前記連結体との連結状態において、前記連結体の両端部は、前記被連結体の内部に配設されて、前記被連結体を補強する補強部となることを特徴とするものである。
【００１３】
請求項５に記載の発明は、請求項１乃至請求項４のうち、いずれか１に記載の発明において、前記被連結体は、板状体を略筒形状にして設けられ、前記板状体の一部が重なる重ね合わせ部を有し、前記連結体は、前記重ね合わせ部に連結されることを特徴とするものである。
【００１４】
請求項６に記載の発明は、請求項１乃至請求項５のうち、いずれか１に記載の発明において、前記連結体は、前記被連結体を幅方向中央位置で連結することを特徴とするものである。
【００１５】
請求項７に記載の発明は、少なくとも、被連結体を形成する被連結体形成部材と、前記被連結体同士を連結する連結体を形成する連結体形成部材とを有し、前記連結体形成部材は、前記連結体と前記被連結体との連結時に前記被連結体の間において開口部を有するように形成され、前記被連結体形成部材と前記連結体形成部材とによって組立家具を組立て可能なことを特徴とするものである。
【発明の効果】
【００１６】
請求項１、請求項２又は請求項７に記載の発明によれば、被連結体同士を連結する連結体を有し、前記連結体は、前記被連結体の間において開口部を設けたため、組立家具としての机における天板部の下方空間に人の膝を深く挿入することができ、人が無理な姿勢を強いられることがなく机上での作業を実施できるので、机の使い勝手が良好となる。また、被連結体としての脚部同士が連結体により連結されているので、連結体としての机の剛性も向上する。
【００１７】
請求項３に記載の発明によれば、連結体は２つの連結板が互いに結合して構成されたことから、連結体自体の剛性が高まり、この結果、組立家具としての机の剛性を向上させることができる。
【００１８】
請求項４に記載の発明によれば、連結体の両端部が被連結体の内部に配設されて、被連結体を補強する補強部として機能することから、連結体の両端部によって内部空間を有する被連結体としての脚部の剛性が高まるので、組立家具としての机の剛性を全体として向上させることができる。また、前記補強部は連結体の一部として一体的に構成されたので、補強部を別部材として途用意する必要がなく、部品点数を低減できる。
【００１９】
請求項５に記載の発明によれば、前記連結体は、板状体を筒形状に形成してなる脚部の重ね合わせ部に連結されることから、連結体は脚部の強度の高い部分に結合されることになり、脚部と連結体の連結が強固になり、その結果、机の剛性を全体として向上させることができる。
【００２０】
請求項６に記載の発明によれば、被連結体を連結する連結体が被連結体を幅方向中央位置で連結することから、連結体が被連結体を幅方向の片側で連結する場合に比べ、がたつきが発生せず、この結果、組立家具としての机の剛性を向上させることができる。
【発明を実施するための最良の形態】
【００２１】
以下、本発明を実施するための最良の形態を、図面に基づき説明する。図１は、本発明に係る組立家具の一実施形態を示す斜視図、図２は、図１の天板部の天板部形成部材を示す展開図、図３は、図１の被連結体の被連結体形成部材を示す展開図、図４は、図１の連結体の連結体形成部材を示す展開図である。
【００２２】
図１に示す組立家具としての机１０は、例えば段ボールや板紙などの厚紙やプラスチック板で作製されるものであり、被連結体としての脚部１２が連結体１３によって連結され、脚部１２の上部に天板部１１が設置されて構成される。なお、本実施の形態では、机の用途として本発明に係る組立家具を説明するが、椅子としての用途も可能である。
【００２３】
被連結体としての脚部１２は、図３に示す被連結体形成部材を組み立てることによって形成される。図３に示すように、被連結体形成部材は、略四角形状の表面２８の一方の片側に第１側面２９及び第２側面３０を介してメイン裏面３１が連設され、表面２８の他方の片側に第１側面２９及び第２側面３０を介してサブ裏面３２が連設されて構成される。表面２８、第１側面２９、第２側面３０、メイン裏面３１、サブ裏面３２の境界に折り目線Ａが設けられる。
【００２４】
メイン裏面３１には、被係合部としての第１切込み３３及び第２切込み３４が同一の側に形成されると共に、第１切込み３３と第２切込み３４との間に係合穴３５が形成される。また、サブ裏面３２には、被係合部としての切込み３６が、第１切込み３３と同様に形成されると共に、端辺に係合片３７が突設されている。
【００２５】
図７に示すように、被連結体形成部材を被連結体としての脚部１２に組み立てるためには、表面２８に対し第１側面２９、第２側面３０、メイン裏面３１及びサブ裏面３２を内側に折り曲げ、図８に示すように内部空間を有するように筒形状に形成した後、係合片３７を係合穴３５に係合することによって、被連結体としての脚部１２が形成される。図９に示すように、被連結体としての脚部１２の完成状態では、サブ裏面３２はメイン裏面３１の一部と重ね合されて重ね合わせ部３８が形成され、重ね合わせ部３８において、サブ裏面３２の切込み３６がメイン裏面３１の第１切込み３３と一致する。尚、脚部１２の表面２８に挿入穴４８が形成されている。
【００２６】
連結体１３は、図４に示す連結体形成部材としての連結板３９が複数枚、本実施形態では２枚結合して構成される。図１２に示すように、連結体１３は、内部空間を有するように筒形状に組み立てられた脚部１２において、幅方向Ｗの中央位置に形成された被係合部としての第１切込み３３及び第２切込み３４に、後述の如く嵌め込まれて、脚部１２と結合し、対向する脚部１２を連結する。
【００２７】
図４に示すように、連結体形成部材としての連結板３９は、略コ字形状のフレーム片４０の内側に、結合部としての結合フラップ４１と、補強片４２及び４３とが、折り目線Ａを介して形成されている。フレーム片４０の両端に、係合部としての連結切込み部４４が形成される。補強片４２、４３には、折り目線Ａで折り曲げられたときに（図１０参照）、連結切込み部４４と一致する切込み４５が形成されている。更に、結合フラップ４１には、結合部として例えば２個の連結板結合片４６が、連結板結合片４６の幅Ｌ１と同一寸法の間隔Ｌ２を置いて形成される。
【００２８】
図１０に示すように、補強片４２及び４３を折り目線Ａに沿って外側に折り曲げてフレーム片４０に重ね合わせ、重ね合わせ部５１を形成すると共に、結合部としての結合フラップ４１を折り目線Ａに沿って外側に直角に折り曲げることで、連結板３９が組み立てられる。
【００２９】
このようにして組み立てられた連結板３９の両側の連結切込み４４が、図１１に示すように、一方の脚部１２の第１切込み３３と他方の脚部１２の第２切込み３４にそれぞれ嵌め込まれて、連結板３９により２つの対向する脚部１２が連結される。同様にして、他の連結板３９の両側の連結切込み４４が前記一方の脚部１２の第２切込み３４と前記他方の脚部１２の第１切込み３３に嵌め込まれて、当該他の連結板３９により２つの脚部１２が連結される。尚、前述の如く、脚部１２の第１切込み３３は、メイン裏面３１とサブ裏面３２との重ね合わせ部３８に形成されたものであり（図９参照）、第１切込み３３に連結板３９の一方の連結切込み４４が嵌め込まれて結合されることで、この結合が強固になされる。
【００３０】
脚部１２を連結した２枚の連結板３９は、図１２（Ａ）に示すように略平行に配置される。そして、連結板３９の結合部としての結合フラップ４１は、図１２（Ｂ）及び（Ｃ）に示すように、一方の結合フラップ４１の連結板結合片４６を、他方の結合フラップ４１の連結板結合片４６の間に噛み合せることで結合され、この結果、連結体形成部材としての２枚の連結板３９が互いに結合されて連結体１３が形成される。
【００３１】
図１０に示すように、連結体形成部材としての連結板３９では、両端部４７の寸法Ｍ、つまり連結板３９の端から連結切込み４４までの寸法Ｍが、内部空間を形成するように筒形状に組み立てられた脚部１２の内側の端寸法Ｔ（図９）とほぼ等しく形成されている。このため、図１１及び図１２に示すように、連結板３９の連結切込み４４が脚部１２の第１切込み３３、第２切込み３４に嵌め込まれて連結板３９が対向する脚部１２に結合されたとき、連結板３９の両端部４７は、脚部１２の内側において、脚部１２の内面に接触して配設される。このため、連結板３９の両端部４７は、脚部１２の厚さを補強する補強部として機能し、脚部１２の厚さ方向の変形を防止する。
【００３２】
天板部１１は、図２に示す天板部形成部材を組立てることによって形成される。図２に示すように、四角形状の天面１４の長辺側に第１長側面パーツ１５及び第２長側面パーツ１６が折り目線Ａを介して連設され、また、天面１４の短辺側に、第１短側面パーツ１７及び第２短側面パーツ１８が折り目線Ａを介して連設され、更に、天面１４のコーナー部分に、第１コーナ側面パーツ１９及び第２コーナ側面パーツ２０が折り目線Ａを介して連設されたものである。前記第１短側面パーツ１７及び第２短側面パーツ１８には、これらの境界の折り目線Ａを跨ぐ領域に天板部結合片２１が打ち抜かれて形成されている。
【００３３】
天板部形成部材を組立てて天板部１１を形成する場合、図５に示すように、天面１４に対し第１長側面パーツ１５及び第２長側面パーツ１６、第１短側面パーツ１７及び第２短側面パーツ１８、第１コーナ側面パーツ１９及び第２コーナ側面パーツ２０を折り目線Ａに沿って内側に若干折り曲げる。そして、まず、図６（Ｂ）に示すように、第１面パーツ１５及び第１短側面パーツ１７の両端の補強片２２を内側に折り曲げて、それぞれ第１長側面パーツ１５、第１短側面パーツ１７に重ね合わせ、次に第１コーナ側面パーツ１９の両側の補強片２３を内側に折り曲げて第１コーナー側面パーツ１９に重ね合わせる。
【００３４】
次に、図６（Ｃ）に示すように、第１長側面パーツ１５、第１短側面パーツ１７及び第１コーナー側面パーツ１９を天面１４に対し直角に折り曲げ、更に、第２コーナー側面パーツ２０を折り曲げて第１コーナー側面パーツ１９に重ね合わせ、第１長側面パーツ１５及び第１短側面パーツ１７の一部にも重ね合わせる。その後、第２長側面パーツ１８を折り曲げてそれぞれ第１長側面パーツ１５、第１短側面パーツ１７に重ね合わせ、天板部１１を図６（Ａ）に示すように略箱形状とする。
【００３５】
第１長側面パーツ１５及び第２長側面パーツ１６により長側面２４が、第１短側面パーツ１７及び第２短側面パーツ１８により短側面２５が、第１コーナ側面パーツ１９及び第２コーナ側面パーツ２０によりコーナ側面２６がそれぞれ構成される。このとき、短側面２５から天板部結合片２１が突設される。この箱形状の天板部１１の内側に中敷２７（図６）を嵌め込んで天板部１１を完成する。
【００３６】
上述のように組み立てて形成された脚部１２及び連結体１３は、図１３（Ａ）に示すように、天板部１１に組み付けられて、図１に示す組立家具としての机１０が組み立てられる。このとき、対向する脚部１２が天板部１２の内側に嵌合され、図１３（Ｂ）及び（Ｃ）に示すように、天板部１１の天板部結合片２１が折り曲げられて脚部１２の挿入穴４８に挿入され、これにより対向する脚部１２と天板部１１とが結合される。図１に示すように、組立家具としての机１０では、天板部１１の下方空間において、被連結体としての脚部１２の間に開口部５０が形成され、机１０の正面側と背面側とが連通して構成される。
【００３７】
以上のように構成されたことから、前記実施の形態によれば、次の効果（１）乃至（６）を奏する。
【００３８】
（１）被連結体としての脚部１２が、幅方向中央位置で連結体１３に連結され、連結体１３により連結された脚部１２の上部に設置された天板部１１の下方空間には、対向する脚部１２間に開口部５０が形成され、机１０の正面側と背面側とが連通して構成される。このため、机１０の正面側と背面側のいずれの位置に人が着座したときにも、机１０における天板部１１の下方空間の開口部５０に人の膝を深く挿入することができることから、人が無理な姿勢を強いられることなく机上での作業を実施できるので、机１０の使い勝手が良好となる。
【００３９】
（２）対向する脚部１２を連結する連結体１３が脚部１２を幅方向Ｗの中央位置で連結することから、連結体１３が対向する脚部１２を幅方向Ｗの片側で連結する場合に比べ、脚部１２にがたつきが発生せず、この結果、机１０の剛性を向上させることができる。
【００４０】
（３）連結体１３は複数の連結板３９で構成し、結合部としての結合フラップ４１を用いて互いに結合したことから、連結体１３自体の剛性が高まり、この結果、机１０の剛性を全体として向上させることができる。
【００４１】
（４）内部空間を有するように筒形状に形成して構成された脚部１２の重ね合わせ部３８に連結体１３の連結板３９が結合されることから、連結体１３は脚部１２の強度の高い部分に結合されることになるので、脚部１２と連結体１３の結合が強固になり、その結果、机１０の剛性を全体として向上させることができる。
【００４２】
（５）連結体１３の連結板３９における両端部４７が内部空間を有する脚部１２の内部に配設されて、脚部１２の厚さ方向を補強する補強部として機能することから、連結板３９の両端部４７によって筒形状の脚部１２の剛性が高まり、変形が防止されるので、机１０の剛性を全体として向上させることができる。
【００４３】
（６）内部空間を有する脚部１２において、補強する補強部が連結体１３における連結板３９の一部として構成されたので、補強部を別体で用意する必要がなく、部品点数を低減できる。
【００４４】
以上、本発明を前記実施の形態に基づいて説明したが、本発明はこれに限定されるものではない。例えば、脚部１２では、メイン裏面３１とサブ裏面３２との全面が重ね合され、これらのメイン裏面３１とサブ裏面３２が重ね合わされた部分に第１切込み３３及び第２切込み３４が形成されてもよい。また、脚部１２は２つに限定されるものではなく、２つ以上の脚部１２を有し、対向する脚部同士を連結体１３により連結するようにしてもよい。また、脚部１２は、中空の筒形状のものを説明したが、板状体で構成し、該板状体に切り込み部３３、３４を設けて連結体１３により連結するようにしてもよい。
【図面の簡単な説明】
【００４５】
【図１】本発明に係る組立家具の一実施形態を示す斜視図である。
【図２】図１の天板部の天板部形成部材を示す展開図である。
【図３】図１の被連結体の被連結体形成部材を示す展開図である。
【図４】図１の連結体の連結体形成部材を示す展開図である。
【図５】図２の天板部形成部材の組立状況を示す斜視図である。
【図６】（Ａ）は、図５の天板部形成部材の組立状況を示す全体斜視図、（Ｂ）及び（Ｃ）は、（Ａ）のＶＩ部の組立状況を示す部分斜視図である。
【図７】図３の被連結体形成部材の組立状況を示す斜視図である。
【図８】図７の被連結体形成部材の組立状況を示す斜視図である。
【図９】図８の被連結体形成部材の組立完了状態、即ち被連結体を示す斜視図である。
【図１０】図４の連結体形成部材の組立状況を示す斜視図である。
【図１１】図１０の連結体形成部材による連結体の被連結体との連結状態を示す斜視図である。
【図１２】（Ａ）は、連結体による被連結体の連結完了状態を示す斜視図、（Ｂ）及び（Ｃ）は、（Ａ）における連結体のＸＩＩＩ部の組立状況を示す斜視図である。
【図１３】（Ａ）は、図１２の被連結体及び連結体と天板部との結合状況を示す全体斜視図、（Ｂ）及び（Ｃ）は、（Ａ）のＸＩＶ部の組立状況を示す部分斜視図である。
【符号の説明】
【００４６】
１０  机（組立家具）
１１  天板部
１２  脚部（被連結体）
１３  連結体
２１  天板部結合片
３３  第１切込み（被係合部）
３４  第２切込み（被係合部）
３６  切込み（被係合部）
３８  脚部の重ね合わせ部
３９  連結板（連結体、連結体形成部材）
４１  結合フラップ（結合部）
４４  連結切込み部（係合部）
４６  連結板結合片（結合部）
４７  連結板の両端部（連結体の両端部、補強部）
４８  挿入穴
５０  開口部
５１  連結板の重ね合わせ部分
【図１】
2006068392.tif 000003
【図２】
2006068392.tif 000004
【図３】
2006068392.tif 000005
【図４】
2006068392.tif 000006
【図５】
2006068392.tif 000007
【図６】
2006068392.tif 000008
【図７】
2006068392.tif 000009
【図８】
2006068392.tif 000010
【図９】
2006068392.tif 000011
【図１０】
2006068392.tif 000012
【図１１】
2006068392.tif 000013
【図１２】
2006068392.tif 000014
【図１３】
2006068392.tif 000015